(57)【要約】【課題】パネル制御信号のＯＮ／ＯＦＦ電圧レベルを、電源出力端子との外部結線によって選択する。【解決手段】表示ドライバＩＣ（１００）は、パネル制御端子（１０，２０）、パネルＯＮ／ＯＦＦレベル用の電源（３０）、及び、これらを制御するロジック回路（４０）を備え、表示ドライバＩＣ外部の結線およびＯＮ／ＯＦＦレベル用電源の電圧の設定変更の組み合わせにより、パネル制御端子のＯＮ／ＯＦＦレベルを変更する。また、このような変更により複数のパネルの制御を単一の表示ドライバＩＣで実現する。【選択図】図３
2010169770.tif 000002
【特許請求の範囲】
【請求項１】
異なる電圧レベルの電圧を出力するための複数の電源出力端子を有する電源回路と、
第１回路制御端子及び第２回路制御端子のＯＮレベルの電圧が前記複数の電源出力端子のうちいずれかの端子から供給され、前記第１回路制御端子のＯＦＦレベルの電圧が第１外部端子から供給され、前記第２回路制御端子のＯＦＦレベルの電圧が第２外部端子から供給され、前記第１回路制御端子から出力される第１制御信号及び前記第２回路制御端子から出力される第２制御信号を制御するロジック回路と
を具備し、
前記第１外部端子及び前記第２外部端子は夫々、前記第１回路制御端子及び前記第２回路制御端子のＯＮレベルよりも電圧レベルが低い電圧を印加する当該ＩＣ（Ｉｎｔｅｇｒａｔｅｄ  Ｃｉｒｃｕｉｔ）上のいずれかの端子と当該ＩＣの外部で結線するように設置されていることを特徴とする
表示ドライバＩＣ。
【請求項２】
請求項１に記載の表示ドライバＩＣであって、
前記複数の電源出力端子は、
前記第１回路制御端子及び前記第２回路制御端子のＯＮレベルに電圧を供給する第１電源出力端子と、
前記第１電源出力端子よりも電圧レベルが低い電圧を出力する第２電源出力端子と
を含み、
前記第１外部端子は、前記第２電源出力端子と当該ＩＣの外部で結線するように設置され、
前記第２外部端子は、前記当該ＩＣ上の接地端子と当該ＩＣの外部で結線するように設置されていることを特徴とする
表示ドライバＩＣ。
【請求項３】
請求項１に記載の表示ドライバＩＣであって、
前記複数の電源出力端子は、
前記第１回路制御端子及び前記第２回路制御端子のＯＮレベルに電圧を供給する第１電源出力端子と、
前記第１電源出力端子よりも電圧レベルが低い電圧を出力する第３電源出力端子と
を含み、
前記第１外部端子及び前記第２外部端子は共に、前記第３電源出力端子と当該ＩＣの外部で結線するように設置されていることを特徴とする
表示ドライバＩＣ。
【請求項４】
請求項１に記載の表示ドライバＩＣであって、
前記複数の電源出力端子は、
電圧を出力する第１電源出力端子と、
前記第１電源出力端子よりも電圧レベルが低い電圧を出力する第２電源出力端子と、
前記第２電源出力端子よりも電圧レベルが低い電圧を出力する第３電源出力端子と、
前記第１電源出力端子よりも電圧レベルが低く、前記第２電源出力端子よりも電圧レベルが高い電圧を出力する第４電源出力端子と
を含み、
前記第１回路制御端子のＯＮレベルの電圧が第３外部端子から供給され、前記第２回路制御端子のＯＮレベルの電圧が第４外部端子から供給され、前記第３外部端子及び前記第４外部端子は夫々、前記第１電源出力端子及び前記第４電源出力端子のうちいずれかの端子と当該ＩＣの外部で結線するように設置され、
前記第１外部端子及び前記第２外部端子は夫々、前記第２電源出力端子、前記第３電源出力端子及び前記当該ＩＣ上の接地端子のうちいずれかの端子と当該ＩＣの外部で結線するように設置されていることを特徴とする
表示ドライバＩＣ。
【請求項５】
請求項１乃至４のいずれか一項に記載の表示ドライバＩＣであって、
前記電源回路は、前記複数の電源出力端子のうち少なくとも１つの端子の電圧レベルの電圧設定を変更してパネル制御を行うことを特徴とする
表示ドライバＩＣ。
【請求項６】
電圧を出力する第１電源出力端子、及び、前記第１電源出力端子よりも電圧レベルが低い電圧を出力する第２電源出力端子を有する電源回路と、
第１回路制御端子及び第２回路制御端子のＯＮレベルの電圧が前記第１電源出力端子から供給され、前記第１回路制御端子のＯＦＦレベルの電圧が第１外部端子から供給され、前記第２回路制御端子のＯＦＦレベルの電圧が第２外部端子から供給され、前記第１回路制御端子から出力される第１制御信号及び前記第２回路制御端子から出力される第２制御信号を制御するロジック回路と
を具備し、
前記第１外部端子及び前記第２外部端子は夫々、前記第１外部端子及び前記第２外部端子と同一ＩＣ（Ｉｎｔｅｇｒａｔｅｄ  Ｃｉｒｃｕｉｔ）上にある前記第２電源出力端子及び接地端子のいずれかの端子と外部結線により接続するように設置されていることを特徴とする
表示装置。
【請求項７】
請求項６に記載の表示装置であって、
前記第１電源出力端子は、電圧を出力するＶＧＨ端子であり、
前記第２電源出力端子は、前記ＶＧＨ端子よりも電圧レベルが低い電圧を出力するＶＧＬ端子であり、
前記接地端子は、前記ＶＧＨ端子よりも電圧レベルが低く、前記ＶＧＬ端子よりも電圧レベルが高い電圧を出力するＶＳＳ端子であり、
前記第１外部端子は、前記ＶＧＬ端子と外部結線により接続するように設置され、
前記第２外部端子は、前記ＶＳＳ端子と外部結線により接続するように設置されていることを特徴とする
表示装置。
【請求項８】
請求項６に記載の表示装置であって、
前記第１電源出力端子は、電圧を出力するＶＧＨ端子であり、
前記第２電源出力端子は、前記ＶＧＨ端子よりも電圧レベルが低い電圧を出力するＶＰＬ端子であり、
前記第１外部端子及び前記第２外部端子は共に、前記ＶＰＬ端子と外部結線により接続するように設置されていることを特徴とする
表示装置。
【請求項９】
請求項６に記載の表示装置であって、
前記第１電源出力端子は、
電圧を出力するＶＧＨ端子と、
前記ＶＧＨ端子よりも電圧レベルが低い電圧を出力するＶＰＨ端子と
を含み、
前記第２電源出力端子は、
前記ＶＰＨ端子よりも電圧レベルが低い電圧を出力するＶＰＬ端子と、
前記ＶＰＬ端子よりも電圧レベルが低い電圧を出力するＶＧＬ端子と
を含み、
前記接地端子は、
前記ＶＰＨ端子よりも電圧レベルが低く、前記ＶＰＬ端子よりも電圧レベルが高い電圧を出力するＶＳＳ端子と
を含み、
前記第１回路制御端子のＯＮレベルの電圧が第３外部端子から供給され、前記第２回路制御端子のＯＮレベルの電圧が第４外部端子から供給され、前記第３外部端子及び前記第４外部端子は夫々、前記ＶＧＨ端子及び前記ＶＰＨ端子のうちいずれかの端子と外部結線により接続するように設置され、
前記第１外部端子及び前記第２外部端子は夫々、前記ＶＧＬ端子、前記ＶＰＬ端子、及び前記ＶＳＳ端子のいずれかと外部結線により接続するように設置されていることを特徴とする
表示装置。
【請求項１０】
請求項６乃至９のいずれか一項に記載の表示装置であって、
前記電源回路は、前記第１電源出力端子及び前記第２電源出力端子のうち少なくとも１つの端子の電圧レベルの電圧設定を変更してパネル制御を行うことを特徴とする
表示装置。
【発明の詳細な説明】
【技術分野】
【０００１】
本発明は、表示ドライバＩＣ及び表示装置に関し、特にパネル制御信号のＯＮ／ＯＦＦ電圧レベル切り替え可能な表示ドライバＩＣ及び表示装置に関する。
【背景技術】
【０００２】
表示装置のパネル制御のＯＮ／ＯＦＦレベルはパネルの種類によって異なる。また、表示装置のパネル制御のＯＮ／ＯＦＦレベルはマルチプレクサ制御信号やゲート制御信号など制御信号の種類によって異なる。
【０００３】
なお、ＬＴＰＳ（低温ポリシリコン）のパネルでは、マルチプレクサ回路やゲート回路をガラス上に実装可能である。また、ＬＴＰＳ（低温ポリシリコン）のパネルでは、ＣＯＧ（Ｃｈｉｐ  Ｏｎ  Ｇｌａｓｓ）で結線が可能である。
【０００４】
また、表示ドライバＩＣ（Ｉｎｔｅｇｒａｔｅｄ  Ｃｉｒｃｕｉｔ：集積回路）には、複数の異なる電圧レベルの電圧を出力する電源回路を搭載することが可能である。
【０００５】
図１を参照して、従来の表示ドライバＩＣ及び表示装置の第１の構成を用いて説明する。
従来の表示ドライバＩＣ及び表示装置１０１は、Ｘドライバ回路１１０と、Ｙドライバ回路１２０と、液晶素子２１０と、Ｘ側電力供給回路３１０と、Ｙ側電力供給回路３２０と、ドライバコントロール回路４１０を備える。
【０００６】
Ｘドライバ、Ｙドライバの電圧レベルの電圧は電力供給回路から供給される。すなわち、Ｘドライバ回路１１０の電圧レベル（ＶＨＸ，ＶＣＸ，ＶＬＸ）の電圧はＸ側電力供給回路３１０から供給される。Ｙドライバ回路１２０の電圧レベル（ＶＨＹ，ＶＣＹ，ＶＬＹ）の電圧はＹ側電力供給回路３２０から供給される。
【０００７】
図２を参照して、従来の表示ドライバＩＣ及び表示装置の第２の構成について説明する。
表示ドライバＩＣ１０２は、マルチプレクサ制御端子１１と、ゲート制御端子２１と、電源回路３１と、ロジック回路（ＬＯＧＩＣ）４１を備える。
【０００８】
表示ドライバＩＣ１０２は、液晶パネル等に画像データを書き込む役割を担うドライバＩＣである。
【０００９】
マルチプレクサ制御端子１１は、マルチプレクサ制御信号を出力する。ゲート制御端子２１は、ゲート制御信号を出力する。電源回路３１は、複数の異なる電圧レベルの電圧を出力する。ロジック回路４１は、これらのマルチプレクサ制御信号、ゲート制御信号、及び電源回路３１を制御する。
【００１０】
また、パネルタイプＡにおいては、表示ドライバＩＣ１０２には、電源出力端子ＶＧＨと、電源出力端子ＶＧＬと、接地端子ＶＳＳが設けられている。パネルタイプＢにおいては、表示ドライバＩＣ１０２には、電源出力端子ＶＧＨと、電源出力端子ＶＰＬと、接地端子ＶＳＳが設けられている。
【００１１】
電源出力端子ＶＧＨ，ＶＧＬ，ＶＰＬは、電源回路３０に接続され、それぞれ異なる電圧レベルの電圧を出力する。このとき、パネルタイプＡにおいては、電圧レベル（ＶＧＨ＝１０Ｖ，ＶＧＬ＝−５Ｖ）の電圧を出力する。パネルタイプＢにおいては、電圧レベル（ＶＧＨ＝１０Ｖ，ＶＰＬ＝−１．５Ｖ）の電圧を出力する。
【００１２】
接地端子ＶＳＳは、接地されたグランド（ＧＮＤ）端子等であり、所定の電圧レベル（ＶＳＳ＝０Ｖ）の電圧を出力する。
【００１３】
パネルタイプＡにおいては、マルチプレクサ制御信号とゲート制御信号のＯＮレベルは電源出力端子ＶＧＨ、ＯＦＦレベルはそれぞれ電源出力端子ＶＧＬ、接地端子ＶＳＳにＩＣ内部で接続されており、それぞれ１０Ｖ〜５Ｖで振幅する。ここでは、マルチブレクサ制御端子１０のＯＮレベル＝ゲート制御端子２０のＯＮレベル＝ＶＧＨ＝１０Ｖとなる。また、マルチブレクサ制御端子１０のＯＦＦレベル＝ＶＧＬ＝−５Ｖとなり、ゲート制御端子２０のＯＦＦレベル＝ＶＳＳ＝０Ｖとなる。
【００１４】
パネルタイプＢにおいては、マルチプレクサ制御信号とゲート制御信号のＯＮレベルは電源出力端子ＶＧＨ、ＯＦＦレベルはＶＰＬにＩＣ内部で接続されており、マルチプレクサ、ゲート制御信号は共に１０Ｖ〜−１．５Ｖで振幅する。ここでは、マルチブレクサ制御端子１０のＯＮレベル＝ゲート制御端子２０のＯＮレベル＝ＶＧＨ＝１０Ｖとなる。また、マルチブレクサ制御端子１０のＯＦＦレベル＝ゲート制御端子２０のＯＦＦレベル＝ＶＰＬ＝−１．５Ｖとなる。
【００１５】
関連する技術として、特開２０００−１４７４５５号公報（特許文献１）に液晶パネルの駆動装置及び液晶装置が開示されている。
この関連技術では、Ｙドライバ回路及びＸドライバ回路が、階調データの示す階調レベルに応じた大きさの実効値を有する印加電圧を液晶素子に供給する。また、ドライバコントロール回路が、Ｘドライバ回路における各階調レベルに対する印加電圧の実効値の各大きさの設定を、光源の非点灯に応じて反射型表示用の設定に切り換え、光源の点灯に応じて透過型表示用の設定に切り換える。
【先行技術文献】
【特許文献】
【００１６】
【特許文献１】特開２０００−１４７４５５号公報
【発明の概要】
【発明が解決しようとする課題】
【００１７】
図１の構成では、Ｙドライバの全ての出力端子の電圧は同一の電圧である。すなわち、Ｙドライバの全ての出力端子の電圧レベルは同一である。ＯＮ／ＯＦＦレベルが異なる複数のパネル制御信号を単一の表示ドライバＩＣで制御することはできない。ＯＮ／ＯＦＦレベルが信号の種類やパネルの種類に応じて異なる場合、それぞれのパネル専用の表示ドライバＩＣが必要になる。
【００１８】
図２の構成では、マルチプレクサ制御信号とゲート制御信号のＯＦＦ電圧レベルは変更することはできない。ＯＦＦレベルの異なるパネルタイプＡ、パネルタイプＢを制御する場合、それぞれのパネル専用の表示ドライバＩＣが必要になる。
【課題を解決するための手段】
【００１９】
本発明では、表示装置のパネル制御用ドライバ、パネル制御ＯＮ／ＯＦＦレベル用電源、及びこれらを制御するロジック回路を備えた表示ドライバＩＣ及び表示装置を提供する。
【００２０】
本発明の表示ドライバＩＣは、異なる電圧レベルの電圧を出力するための複数の電源出力端子を有する電源回路と、第１回路制御端子（マルチプレクサ制御端子）及び第２回路制御端子（ゲート制御端子）のＯＮレベルの電圧が複数の電源出力端子のうちいずれかの端子から供給され、第１回路制御端子（マルチプレクサ制御端子）のＯＦＦレベルの電圧が第１外部端子（ＶＢ１）から供給され、第２回路制御端子（ゲート制御端子）のＯＦＦレベルの電圧が第２外部端子（ＶＢ２）から供給され、第１回路制御端子（マルチプレクサ制御端子）から出力される第１制御信号（マルチプレクサ制御信号）及び第２回路制御端子（ゲート制御端子）から出力される第２制御信号（ゲート制御信号）を制御するロジック回路とを具備する。第１外部端子（ＶＢ１）及び第２外部端子（ＶＢ２）は夫々、第１回路制御端子（マルチプレクサ制御端子）及び第２回路制御端子（ゲート制御端子）のＯＮレベルよりも電圧レベルが低い電圧を出力する当該ＩＣ（Ｉｎｔｅｇｒａｔｅｄ  Ｃｉｒｃｕｉｔ）上のいずれかの端子と当該ＩＣの外部で結線するように設置されていることを特徴とする。
【００２１】
複数の電源出力端子は、第１回路制御端子（マルチプレクサ制御端子）及び第２回路制御端子（ゲート制御端子）のＯＮレベルに電圧を供給する第１電源出力端子（ＶＧＨ）と、第１電源出力端子（ＶＧＨ）よりも電圧レベルが低い電圧を出力する第２電源出力端子（ＶＧＬ）とを含む。第１外部端子（ＶＢ１）は、第２電源出力端子（ＶＧＬ）と当該ＩＣの外部で結線するように設置され、第２外部端子（ＶＢ２）は、当該ＩＣ上の接地端子（ＶＳＳ）と当該ＩＣの外部で結線するように設置されていることを特徴とする。
【００２２】
複数の電源出力端子は、第１回路制御端子（マルチプレクサ制御端子）及び第２回路制御端子（ゲート制御端子）のＯＮレベルに電圧を供給する第１電源出力端子（ＶＧＨ）と、第１電源出力端子（ＶＧＨ）よりも電圧レベルが低い電圧を出力する第３電源出力端子（ＶＰＬ）とを含む。第１外部端子（ＶＢ１）及び第２外部端子（ＶＢ２）は共に、第３電源出力端子（ＶＰＬ）と当該ＩＣの外部で結線するように設置されていることを特徴とする。
【００２３】
複数の電源出力端子は、電圧を出力する第１電源出力端子（ＶＧＨ）と、第１電源出力端子（ＶＧＨ）よりも電圧レベルが低い電圧を出力する第２電源出力端子（ＶＧＬ）と、第２電源出力端子（ＶＧＬ）よりも電圧レベルが低い電圧を出力する第３電源出力端子（ＶＰＬ）と、第１電源出力端子（ＶＧＨ）よりも電圧レベルが低く、第２電源出力端子（ＶＧＬ）よりも電圧レベルが高い電圧を出力する第４電源出力端子（ＶＰＨ）とを含む。第１回路制御端子（マルチプレクサ制御端子）のＯＮレベルの電圧が第３外部端子（ＶＡ１）から供給され、第２回路制御端子（ゲート制御端子）のＯＮレベルの電圧が第４外部端子（ＶＡ２）から供給され、第３外部端子（ＶＡ１）及び第４外部端子（ＶＡ２）は夫々、第１電源出力端子（ＶＧＨ）及び第４電源出力端子（ＶＰＨ）のうちいずれかの端子と当該ＩＣの外部で結線するように設置され、第１外部端子（ＶＢ１）及び第２外部端子（ＶＢ２）は夫々、第２電源出力端子（ＶＧＬ）、第３電源出力端子（ＶＰＬ）及び当該ＩＣ上の接地端子（ＶＳＳ）のうちいずれかの端子と当該ＩＣの外部で結線するように設置されていることを特徴とする。
【００２４】
電源回路は、複数の電源出力端子のうち少なくとも１つの端子の電圧レベルの電圧設定を変更してパネル制御を行うことを特徴とする。
【００２５】
このように、本発明では、パネル制御信号のＯＮ／ＯＦＦ電圧レベルを、電源出力端子との外部結線によって選択する。また、パネル制御信号の種類によって、外部結線の結線先を区別する。
【発明の効果】
【００２６】
パネル制御信号の種類によって、外部結線の結線先すなわち電源出力端子を変更することで、パネル制御信号のＯＮ／ＯＦＦ電圧レベルを選択することが可能になる。
【図面の簡単な説明】
【００２７】
【図１】従来の表示ドライバＩＣおよび表示装置の第１の構成を示す図である。
【図２】従来の表示ドライバＩＣおよび表示装置の第２の構成を示す図である。
【図３】本発明の第１実施例の表示ドライバＩＣおよび表示装置の構成を示す図である。
【図４】本発明の第２実施例の表示ドライバＩＣおよび表示装置の構成を示す図である。
【図５】本発明の第２実施例で可能な制御方法を示す表である。
【図６】本発明の第３実施例の表示ドライバＩＣおよび表示装置の構成を示す図である。
【発明を実施するための形態】
【００２８】
以下に、本発明の第１実施例について添付図面を参照して説明する。
図３を参照すると、本実施例において、表示ドライバＩＣ１００は、マルチプレクサ制御端子１０と、ゲート制御端子２０と、電源回路３０と、ロジック回路（ＬＯＧＩＣ）４０を備える。
【００２９】
表示ドライバＩＣ１００は、液晶パネル等に画像データを書き込む役割を担うドライバＩＣである。なお、表示ドライバＩＣ１００は、液晶ディスプレイ等の表示装置に搭載されている。従って、表示ドライバＩＣ１００は、表示装置と読み替えることも可能である。
【００３０】
マルチプレクサ制御端子１０は、マルチプレクサ制御信号を出力する。ゲート制御端子２０は、ゲート制御信号を出力する。電源回路３０は、複数の異なる電圧レベルの電圧を出力する。ロジック回路４０は、これらのマルチプレクサ制御信号、ゲート制御信号、及び電源回路３０を制御する。
【００３１】
また、表示ドライバＩＣ１００には、電源出力端子ＶＧＨと、電源出力端子ＶＧＬと、電源出力端子ＶＰＬと、接地端子ＶＳＳと、外部端子ＶＢ１と、外部端子ＶＢ２が設けられている。
【００３２】
電源出力端子ＶＧＨ，ＶＧＬ，ＶＰＬは、電源回路３０に接続され、それぞれ異なる電圧レベル（ＶＧＨ＝１０Ｖ，ＶＧＬ＝−５Ｖ，ＶＰＬ＝−１．５Ｖ）の電圧を出力する。ここでは、電源回路３０が電源出力端子ＶＧＨ，ＶＧＬ，ＶＰＬを有している。
【００３３】
接地端子ＶＳＳは、接地されたグランド（ＧＮＤ）端子等であり、所定の電圧レベル（ＶＳＳ＝０Ｖ）の電圧を出力する。
【００３４】
マルチプレクサ制御信号とゲート制御信号のＯＮレベルの電圧は、共に電源出力端子ＶＧＨから供給される。従って、マルチブレクサ制御端子１０のＯＮレベル＝ゲート制御端子２０のＯＮレベル＝ＶＧＨ＝１０Ｖとなる。マルチプレクサ制御信号のＯＦＦレベルの電圧は、外部端子ＶＢ１から供給される。ゲート制御信号のＯＦＦレベルの電圧は、外部端子ＶＢ２から供給される。
【００３５】
パネルタイプＡにおいては、マルチブレクサ制御端子１０のＯＦＦレベル（ＶＢ１）を「外部結線」により電源出力端子ＶＧＬに接続し、ゲート制御端子２０のＯＦＦレベル（ＶＢ２）を「外部結線」により接地端子ＶＳＳに接続する。すなわち、外部端子ＶＢ１を「外部結線」により電源出力端子ＶＧＬに接続し、外部端子ＶＢ２を「外部結線」により接地端子ＶＳＳに接続する。従って、マルチブレクサ制御端子１０のＯＦＦレベル（ＶＢ１）＝ＶＧＬ＝−５Ｖとなり、ゲート制御端子２０のＯＦＦレベル（ＶＢ２）＝ＶＳＳ＝０Ｖとなる。なお、外部結線とは、ＩＣの外部で端子間の結線をすることである。
【００３６】
パネルタイプＢにおいては、マルチブレクサ制御端子１０のＯＦＦレベル（ＶＢ１）、及び、ゲート制御端子２０のＯＦＦレベル（ＶＢ２）を共に「外部結線」により電源出力端子ＶＰＬに接続する。すなわち、外部端子ＶＢ１，ＶＢ２を共に「外部結線」により電源出力端子ＶＰＬに接続する。従って、マルチブレクサ制御端子１０のＯＦＦレベル（ＶＢ１）＝ゲート制御端子２０のＯＦＦレベル（ＶＢ２）＝ＶＰＬ＝−１．５Ｖとなる。
【００３７】
次に、図３の実施例１を用いて、本発明の動作について説明する。
【００３８】
パネルタイプＡにおいては、マルチプレクサ制御端子１０のＯＮレベルはＶＧＨ（１０Ｖ）、ＯＦＦレベルはＶＧＬ（−５Ｖ）なので、信号は１０Ｖ〜−５Ｖで振幅する。ゲート制御端子２０のＯＮレベルはＶＧＨ（１０Ｖ）、ＯＦＦレベルはＶＳＳ（０Ｖ）なので、信号は１０Ｖ〜０Ｖで振幅する。
【００３９】
パネルタイプＢにおいては、マルチプレクサ制御端子１０のＯＮレベルはＶＧＨ（１０Ｖ）、ＯＦＦレベルはＶＧＬ（−１．５Ｖ）なので、信号は１０Ｖ〜−１．５Ｖで振幅する。ゲート制御端子２０のＯＮレベルはＶＧＨ（１０Ｖ）、ＯＦＦレベルはＶＧＬ（−１．５Ｖ）なので、信号は１０Ｖ〜１．５Ｖで振幅する。
【００４０】
パネルタイプＡとパネルタイプＢにおいて、表示ドライバＩＣ１００は外部の結線変更のみにより、マルチプレクサ制御端子１０とゲート制御端子２０のＯＮ／ＯＦＦレベルの組み合わせを変更することが可能である。すなわち、パネルタイプＡ専用、パネルタイプＢ専用と言った専用の表示ドライバＩＣを用意することなく、単一の表示ドライバＩＣによってパネルタイプＡ、パネルタイプＢの制御が可能である。
【００４１】
次に、本発明の第２実施例について説明する。
図４を参照すると、本実施例において、表示ドライバＩＣ１００は、マルチプレクサ制御端子１０と、ゲート制御端子２０と、電源回路３０と、ロジック回路（ＬＯＧＩＣ）４０を備える。
【００４２】
マルチプレクサ制御端子１０は、マルチプレクサ制御信号を出力する。ゲート制御端子２０は、ゲート制御信号を出力する。電源回路３０は、複数の異なる電圧レベルの電圧を出力する。ロジック回路４０は、これらのマルチプレクサ制御信号、ゲート制御信号、及び電源回路３０を制御する。
【００４３】
本実施例では、電源回路３０は設定により出力電圧レベルを変更することが可能である。ここでは、出力電圧レベルＶＧＨを１０Ｖ又は２０Ｖに変更する。出力電圧レベルＶＧＬを−５Ｖ又は−１０Ｖに変更する。出力電圧レベルＶＰＬを−１．５Ｖ又は−３Ｖに変更する。
【００４４】
また、表示ドライバＩＣ１００には、電源出力端子ＶＧＨと、電源出力端子ＶＧＬと、電源出力端子ＶＰＬと、接地端子ＶＳＳと、外部端子ＶＢ１と、外部端子ＶＢ２が設けられている。
【００４５】
電源出力端子ＶＧＨ，ＶＧＬ，ＶＰＬは、電源回路３０に接続され、それぞれ異なる電圧レベル（ＶＧＨ＝１０Ｖ／２０Ｖ，ＶＧＬ＝−５Ｖ／−１０Ｖ，ＶＰＬ＝−１．５Ｖ／−３Ｖ）の電圧を出力する。ここでは、電源回路３０が電源出力端子ＶＧＨ，ＶＧＬ，ＶＰＬを有している。
【００４６】
接地端子ＶＳＳは、接地されたグランド（ＧＮＤ）端子等であり、所定の電圧レベル（ＶＳＳ＝０Ｖ）の電圧を出力する。
【００４７】
マルチプレクサ制御信号とゲート制御信号のＯＮレベルの電圧は、共に電源出力端子ＶＧＨから供給される。従って、マルチブレクサ制御端子１０のＯＮレベル＝ゲート制御端子２０のＯＮレベル＝ＶＧＨ＝１０Ｖ／２０Ｖとなる。マルチプレクサ制御信号のＯＦＦレベルの電圧は、外部端子ＶＢ１から供給される。ゲート制御信号のＯＦＦレベルの電圧は、外部端子ＶＢ２から供給される。
【００４８】
結線方法Ａにおいては、マルチブレクサ制御端子１０のＯＦＦレベル（ＶＢ１）を「外部結線」により電源出力端子ＶＧＬに接続し、ゲート制御端子２０のＯＦＦレベル（ＶＢ２）を「外部結線」により接地端子ＶＳＳに接続する。すなわち、外部端子ＶＢ１を「外部結線」により電源出力端子ＶＧＬに接続し、外部端子ＶＢ２を「外部結線」により接地端子ＶＳＳに接続する。従って、マルチブレクサ制御端子１０のＯＦＦレベル（ＶＢ１）＝ＶＧＬ＝−５Ｖ／−１０Ｖとなり、ゲート制御端子２０のＯＦＦレベル（ＶＢ２）＝ＶＳＳ＝０Ｖとなる。
【００４９】
結線方法Ｂにおいては、マルチブレクサ制御端子１０のＯＦＦレベル（ＶＢ１）、及び、ゲート制御端子２０のＯＦＦレベル（ＶＢ２）を共に「外部結線」により電源出力端子ＶＰＬに接続する。すなわち、外部端子ＶＢ１，ＶＢ２を共に「外部結線」により電源出力端子ＶＰＬに接続する。従って、マルチブレクサ制御端子１０のＯＦＦレベル（ＶＢ１）＝ゲート制御端子２０のＯＦＦレベル（ＶＢ２）＝ＶＰＬ＝−１．５Ｖとなる。
【００５０】
図４及び図５を参照して、本実施例で可能な制御方法について説明する。
電源回路３０において、出力電圧レベルＶＧＨは２０Ｖ又は１０Ｖ、出力電圧レベルＶＧＬは−１０Ｖ又は−５Ｖ、出力電圧レベルＶＰＬは−３Ｖ又は−１．５Ｖと、それぞれ電圧設定の変更が可能である。結線方法Ａ、結線方法Ｂのそれぞれについて電源の電圧設定を変更した場合、図５のように８通りのパネル制御が可能である。
【００５１】
図５では、結線方法Ａ、結線方法Ｂのそれぞれについて、「ＶＧＨ設定」、「ＶＧＬ設定」、「ＶＰＬ設定」、「マルチプレクサ制御信号振幅電圧」、「ゲート制御信号振幅電圧」の電圧設定が示されている。このとき、以下の（１）〜（８）のような８通りのパネル制御が可能である。
【００５２】
結線方法Ａについては、以下の４通りのパネル制御が可能である。なお、結線方法Ａでは、「ＶＰＬ設定」の電圧設定を考慮する必要がないため空白となっている。
（１）「ＶＧＨ設定」が２０Ｖ、「ＶＧＬ設定」が−１０Ｖであれば、「マルチプレクサ制御信号振幅電圧」が２０Ｖ〜−１０Ｖ、「ゲート制御信号振幅電圧」が２０Ｖ〜０Ｖとなる。
（２）「ＶＧＨ設定」が２０Ｖ、「ＶＧＬ設定」が−５Ｖであれば、「マルチプレクサ制御信号振幅電圧」が２０Ｖ〜−５Ｖ、「ゲート制御信号振幅電圧」が２０Ｖ〜０Ｖとなる。
（３）「ＶＧＨ設定」が１０Ｖ、「ＶＧＬ設定」が−１０Ｖであれば、「マルチプレクサ制御信号振幅電圧」が１０Ｖ〜−１０Ｖ、「ゲート制御信号振幅電圧」が１０Ｖ〜０Ｖとなる。
（４）「ＶＧＨ設定」が１０Ｖ、「ＶＧＬ設定」が−５Ｖであれば、「マルチプレクサ制御信号振幅電圧」が１０Ｖ〜−５Ｖ、「ゲート制御信号振幅電圧」が１０Ｖ〜０Ｖとなる。
【００５３】
結線方法Ｂについては、以下の４通りのパネル制御が可能である。なお、結線方法Ｂでは、「ＶＧＬ設定」の電圧設定を考慮する必要がないため空白となっている。
（５）「ＶＧＨ設定」が２０Ｖ、「ＶＰＬ設定」が−３Ｖであれば、「マルチプレクサ制御信号振幅電圧」が２０Ｖ〜−３．０Ｖ、「ゲート制御信号振幅電圧」が２０Ｖ〜−３．０Ｖとなる。
（６）「ＶＧＨ設定」が２０Ｖ、「ＶＰＬ設定」が−１．５Ｖであれば、「マルチプレクサ制御信号振幅電圧」が２０Ｖ〜−１．５Ｖ、「ゲート制御信号振幅電圧」が２０Ｖ〜−１．５Ｖとなる。
（７）「ＶＧＨ設定」が１０Ｖ、「ＶＰＬ設定」が−３Ｖであれば、「マルチプレクサ制御信号振幅電圧」が１０Ｖ〜−３．０Ｖ、「ゲート制御信号振幅電圧」が１０Ｖ〜−３．０Ｖとなる。
（８）「ＶＧＨ設定」が１０Ｖ、「ＶＰＬ設定」が−１．５Ｖであれば、「マルチプレクサ制御信号振幅電圧」が１０Ｖ〜−１．５Ｖ、「ゲート制御信号振幅電圧」が１０Ｖ〜−１．５Ｖとなる。
【００５４】
このように、本実施例では、表示ドライバＩＣ１００は外部の結線変更、及び、電源電圧の設定変更のみにより、マルチプレクサ制御端子１０とゲート制御端子２０のＯＮ／ＯＦＦレベルの組み合わせを８通りに変更することが可能である。すなわち、各パネルタイプ専用の表示ドライバＩＣを用意することなく、単一の表示ドライバＩＣによって８通りのパネルの制御が可能である。
【００５５】
すなわち、「外部結線」の変更と電源の出力設定変更を組み合わせることで、マルチプレクサ制御端子１０とゲート制御端子２０のＯＮ／ＯＦＦレベルの組み合わせを個別に変更することが可能であり、制御可能なパネルのタイプを増やすことが可能である。
【００５６】
次に、本発明の第３実施例について説明する。
図６を参照すると、本実施例において、表示ドライバＩＣ１００は、マルチプレクサ制御端子１０と、ゲート制御端子２０と、電源回路３０と、ロジック回路（ＬＯＧＩＣ）４０を備える。
【００５７】
マルチプレクサ制御端子１０は、マルチプレクサ制御信号を出力する。ゲート制御端子２０は、ゲート制御信号を出力する。電源回路３０は、複数の異なる電圧レベルの電圧を出力する。ロジック回路４０は、これらのマルチプレクサ制御信号、ゲート制御信号、及び電源回路３０を制御する。
【００５８】
本実施例では、電源回路３０はＯＮレベル電圧として、ＶＧＨに加えてＶＰＨを含む。
【００５９】
また、第２実施例と同様に、電源回路３０は設定により出力電圧レベルを変更することが可能である。ここでは、出力電圧レベルＶＧＨを１０Ｖ又は２０Ｖに変更する。出力電圧レベルＶＰＨを５Ｖ又は６Ｖに変更する。出力電圧レベルＶＧＬを−５Ｖ又は−１０Ｖに変更する。出力電圧レベルＶＰＬを−１．５Ｖ又は−３Ｖに変更する。
【００６０】
また、表示ドライバＩＣ１００には、電源出力端子ＶＧＨと、電源出力端子ＶＰＨと、電源出力端子ＶＧＬと、電源出力端子ＶＰＬと、接地端子ＶＳＳと、外部端子ＶＡ１と、外部端子ＶＢ１と、外部端子ＶＡ２と、外部端子ＶＢ２が設けられている。
【００６１】
電源出力端子ＶＧＨ，ＶＰＨ，ＶＧＬ，ＶＰＬは、電源回路３０に接続され、それぞれ異なる電圧レベル（ＶＧＨ＝１０Ｖ／２０Ｖ，ＶＰＨ＝５Ｖ／６Ｖ，ＶＧＬ＝−５Ｖ／−１０Ｖ，ＶＰＬ＝−１．５Ｖ／−３Ｖ）の電圧を出力する。ここでは、電源回路３０が電源出力端子ＶＧＨ，ＶＰＨ，ＶＧＬ，ＶＰＬを有している。
【００６２】
接地端子ＶＳＳは、接地されたグランド（ＧＮＤ）端子等であり、所定の電圧レベル（ＶＳＳ＝０Ｖ）の電圧を出力する。
【００６３】
マルチプレクサ制御信号のＯＮレベルの電圧は、外部端子ＶＡ１から供給される。マルチプレクサ制御信号のＯＦＦレベルの電圧は、外部端子ＶＢ１から供給される。ゲート制御信号のＯＮレベルの電圧は、外部端子ＶＡ２から供給される。ゲート制御信号のＯＦＦレベルの電圧は、外部端子ＶＢ２から供給される。
【００６４】
マルチブレクサ制御端子１０のＯＮレベル（ＶＡ１）を「外部結線」により電源出力端子ＶＧＨ，電源出力端子ＶＰＨのいずれかに接続する。すなわち、外部端子ＶＡ１を「外部結線」により電源出力端子ＶＧＨ，電源出力端子ＶＰＨのいずれかに接続する。従って、マルチブレクサ制御端子１０のＯＮレベル（ＶＡ１）＝ＶＧＨ／ＶＰＨ＝２０Ｖ／１０Ｖ／６Ｖ／５Ｖとなる。
【００６５】
マルチブレクサ制御端子１０のＯＦＦレベル（ＶＢ１）を「外部結線」により接地端子ＶＳＳ，電源出力端子ＶＧＬ，電源出力端子ＶＰＬのいずれかに接続する。すなわち、外部端子ＶＢ１を「外部結線」により接地端子ＶＳＳ，電源出力端子ＶＧＬ，電源出力端子ＶＰＬのいずれかに接続する。従って、マルチブレクサ制御端子１０のＯＦＦレベル（ＶＢ１）＝ＶＳＳ／ＶＰＬ／ＶＧＬ＝０Ｖ／−１．５Ｖ／−３Ｖ／−５Ｖ／−１０Ｖとなる。
【００６６】
ゲート制御端子２０のＯＮレベル（ＶＡ２）を「外部結線」により電源出力端子ＶＧＨ，電源出力端子ＶＰＨのいずれかに接続する。すなわち、外部端子ＶＡ２を「外部結線」により電源出力端子ＶＧＨ，電源出力端子ＶＰＨのいずれかに接続する。従って、ゲート制御端子２０のＯＮレベル（ＶＡ２）＝ＶＧＨ／ＶＰＨ＝２０Ｖ／１０Ｖ／６Ｖ／５Ｖとなる。
【００６７】
ゲート制御端子２０のＯＦＦレベル（ＶＢ２）を「外部結線」により接地端子ＶＳＳ，電源出力端子ＶＧＬ，電源出力端子ＶＰＬのいずれかに接続する。すなわち、外部端子ＶＢ２を「外部結線」により接地端子ＶＳＳ，電源出力端子ＶＧＬ，電源出力端子ＶＰＬのいずれかに接続する。従って、ゲート制御端子２０のＯＦＦレベル（ＶＢ２）＝ＶＳＳ／ＶＰＬ／ＶＧＬ＝０Ｖ／−１．５Ｖ／−３Ｖ／−５Ｖ／−１０Ｖとなる。
【００６８】
このように、本実施例では、電源回路３０において、出力電圧レベルＶＧＨは２０Ｖ又は１０Ｖ、出力電圧レベルＶＰＨは６Ｖ又は５Ｖ、出力電圧レベルＶＧＬは−１０Ｖ又は−５Ｖ、出力電圧レベルＶＰＬは−３Ｖ又は−１．５Ｖと、それぞれ電圧設定の変更が可能である。
【００６９】
マルチプレクサ制御信号とゲート制御信号のＯＮレベルについても、それぞれ外部端子ＶＡ１，ＶＡ２から供給することで、マルチプレクサ制御信号とゲート制御信号のＯＮレベルを異なる電圧に設定することが可能である。
【００７０】
ＶＡ１、ＶＡ２、ＶＢ１、ＶＢ２の「外部結線」の接続先、ＶＧＨ、ＶＰＨ、ＶＧＬ、ＶＰＬの電圧設定の組み合わせにより、制御可能なパネルタイプを実施例２と比較してさらに増やすことが可能である。
【００７１】
本発明により、ＯＮ／ＯＦＦレベルが異なる複数のパネルの制御を、単一の表示ドライバＩＣにより実現することが可能になる。
【００７２】
なお、本発明の表示ドライバＩＣ及び表示装置における「外部結線」は、表示ドライバＩＣ及び表示装置を製造する製造装置により予め当該ＩＣの外部で結線され端子間が接続されているようにしても良い。また、この製造装置は、電源出力端子や外部端子、接地端子を当該ＩＣの外部で結線可能なように設置する。
【００７３】
以上のように、本発明においては、表示ドライバＩＣは、パネル制御端子、パネルＯＮ／ＯＦＦレベル用の電源、及び、これらを制御するロジック回路を備え、表示ドライバＩＣ外部の結線、及び、ＯＮ／ＯＦＦレベル用電源の電圧の設定変更の組み合わせにより、パネル制御端子のＯＮ／ＯＦＦレベルを変更し、このような変更により複数のパネルの制御を単一の表示ドライバＩＣで実現する。
【符号の説明】
【００７４】
１０，１１…  マルチプレクサ制御端子
２０，２１…  ゲート制御端子
３０，３１…  電源回路
４０，４１…  ロジック回路（ＬＯＧＩＣ）
１００，１０１，１０２…  表示ドライバＩＣ
１１０…  Ｘドライバ回路
１２０…  Ｙドライバ回路
２１０…  液晶素子
３１０…  Ｘ側電力供給回路
３２０…  Ｙ側電力供給回路
４１０…  ドライバコントロール回路
【図１】
2010169770.tif 000003
【図２】
2010169770.tif 000004
【図３】
2010169770.tif 000005
【図４】
2010169770.tif 000006
【図５】
2010169770.tif 000007
【図６】
2010169770.tif 000008